(57)【要約】      （修正有）【課題】容易に、かつ確実に便の確認および観察をすることができる便受け装置及びそれを設けたトイレを提供する。【解決手段】便受け装置１３は、便器１２に設けられた水溜り部の少なくとも一部を覆い便を受ける便受け部１１と、便受け部１１上に排便された便を撮影する撮影装置１９、１９と、撮影装置１９、１９により撮影された画像を表示するディスプレイ２７と、を備えた。【選択図】図１
0003192740.tif 000002
【実用新案登録請求の範囲】
【請求項１】
便器に設けられた便排出部の少なくとも一部を覆い便を受ける便受け部と、
前記便受け部上に排便された便を撮影する撮影装置と、
前記撮影装置により撮影された画像を表示する表示装置と、
を備えた便受け装置。
【請求項２】
前記便受け部を前記便排出部の少なくとも一部を覆い便を受ける便受け位置と、前記便受け位置から退避し収納される収納位置との間で移動させる移動機構をさらに備えた請求項１記載の便受け装置。
【請求項３】
前記移動機構は、先端に前記便受け部が取り付けられたテレスコープ状の多段式伸縮機構である請求項２記載の便受け装置。
【請求項４】
前記便受け部上を洗浄する洗浄装置をさらに備えた請求項１−３のいずれか１項記載の便受け装置。
【請求項５】
前記請求項１−４記載の便受け装置が便器上に設けられたトイレ装置。
【考案の詳細な説明】
【技術分野】
【０００１】
本考案は、排泄物の観察機能を備えた便受け装置およびトイレ装置に関する。
【背景技術】
【０００２】
大腸癌、大腸ポリープ、痔核などの大腸や肛門の病気の発見には、排便時の出血のみならず、便の状態を日々目視により観察することが重要だといわれている。従来、便器内に排泄された排泄物を撮像する撮像手段と、撮像された排泄物の画像を表示する表示手段を備えた排泄物確認装置が知られている（例えば特許文献１参照）。
【先行技術文献】
【特許文献】
【０００３】
【特許文献１】特開２００６−６１２９６号公報
【考案の概要】
【考案が解決しようとする課題】
【０００４】
特許文献１の装置は、水洗用の水で満たされた水たまり内の底部に落下した様子を撮影し、表示するものであった。しかし、実際には、便が視認できない位置まで移動していたり、底部が深い場合には視認がしにくいという問題があった。
【０００５】
また、上記の病気を発見するためには、水没していない便を確認する必要があるが、トイレの構造上、特許文献１の装置では困難であった。
【０００６】
本考案はこのような事情を考慮してなされたもので、容易に、かつ確実に便の確認および観察をすることができる便受け装置およびトイレ装置を提供することを目的とする。
【課題を解決するための手段】
【０００７】
本考案に係る便受け装置は、上述した課題を解決するために、便器に設けられた便排出部の少なくとも一部を覆い便を受ける便受け部と、前記便受け部上に排便された便を撮影する撮影装置と、前記撮影装置により撮影された画像を表示する表示装置と、を備えた。
また、本考案に係るトイレ装置は、前記便受け装置が便器上に設けられた。
【考案の効果】
【０００８】
本考案に係る便受け装置およびトイレ装置においては、容易に、かつ確実に便の確認および観察をすることができる。
【図面の簡単な説明】
【０００９】
【図１】本考案に係るトイレ装置の一実施形態を示す全体的な構成図。
【図２】便受け装置の便受け部が伸長した場合の内部構成を説明する部分断面図。
【図３】便受け装置の便受け部が縮小した場合の内部構成を説明する部分構成図。
【図４】便受け装置の便受け部を特に説明するための平面図。
【考案を実施するための形態】
【００１０】
本考案に係る便受け装置およびトイレ装置の一実施形態を添付図面に基づいて説明する。本実施形態における便受け装置１３およびトイレ装置１は、使用者個人の住居に設けられたり、例えば病院や介護施設に設けられたりする。
【００１１】
図１は、本考案に係るトイレ装置の一実施形態を示す全体的な構成図である。
【００１２】
図２は、便受け装置１３の便受け部１１が伸長した場合の内部構成を説明する部分断面図である。
【００１３】
図３は、便受け装置１３の便受け部１１が縮小した場合の内部構成を説明する部分構成図である。
【００１４】
図４は、便受け装置１３の便受け部１１を特に説明するための平面図である。
【００１５】
図１に示すように、本実施形態におけるトイレ装置１は、便器１２と、便器１２上に設けられた便受け装置１３と、図示しない給水源から供給される洗浄水を貯留するロータンク１４とを有する。便受け装置１３は、本体部１５と、本体部１５に開閉自在に取り付けられた便座１６および便蓋１７と、表示装置１８とを有する。また、便受け装置１３は、便座１６の裏面の所定位置に撮影装置１９、１９を備える。
【００１６】
本体部１５は、使用者の表示装置１８を介した操作に応じて動作する便受け部１１を有する。便受け部１１は、水溜り部２０の少なくとも一部を覆うことができる、例えば軟性の樹脂などで形成されたプレート状の部材である。便受け部１１は、使用者が排泄した便を便器１２の水溜り部２０に水没させることなく受け止め保持する。なお、水溜り部２０は、便器１２の便排出部であり、便受け部１１の不使用時には排泄された便を貯水とともに便器外に排泄させる部分である。また、本実施形態においては、便排出部を水溜り部２０としたが、水が張られていない便排出部であってもよい。
【００１７】
本体部１５は、便受け部１１を便受け位置（図２参照）と収納位置（図３参照）との間で移動させる移動機構２１をさらに備える。移動機構２１は、先端に便受け部１１が取り付けられたテレスコープ状の多段式伸縮機構である。本実施形態においては、図２に示すように便受け部１１が中段部２２の一端部に取り付けられる。中段部２２および便受け部１１が上段部２３に対して回転することなく伸縮するよう、中段部２２および上段部２３は、互いに嵌め合いの関係であり伸縮動作のガイドとして機能する凹凸部をそれぞれ有する。
【００１８】
図２に示す便受け位置は、便受け部１１を水溜り部２０の少なくとも一部を覆い、便を受ける位置である。図３に示す収納位置は、便受け位置から退避し本体部１５内へ収納される位置である。便受け部１１が収納位置にある状態は、便受け部１１の全部または一部が本体部１５内に収容された位置であり、便受け部１１の不使用時に使用者の排泄に支障をきたさない位置である。
【００１９】
また、本体部１５は、図２および図３に示すように、局部兼便受け部洗浄装置２４も有する。局部兼便受け部洗浄装置２４は、使用者の表示装置１８を介して入力された指示に基づいて洗浄ノズル２５より便受け部１１または使用者の局部に向けて洗浄水を噴出する。なお、局部兼便受け部洗浄装置２４は、図示しない水道配管に接続される。これにより、洗浄水供給機構は、水道配管から供給される洗浄水を洗浄ノズル２５に供給する。
【００２０】
図１に示すように、撮影装置１９、１９は、便座１６裏の左右２箇所に設けられる。撮影装置１９、１９は、便受け部１１上に排泄された便を撮影する。また、撮影装置１９、１９は、便器１２内の撮影を行うための照明装置を備える。なお、撮影装置１９、１９は、図１に示す左右２箇所に設けられた２つに限らず、便受け部１１上が撮影できればどこに設けられてもよく、数も１つ、または３つ以上設けられてもよい。また、照明装置は撮影装置１９、１９と共に（同じ位置に）設けられても、異なる位置に独立して設けられてもよい。
【００２１】
図１に示すように、表示装置１８は、便受け装置１３に対してケーブル２６を介して接続され、トイレ装置１の近傍であって、トイレ装置使用者が操作可能な位置に配置される。表示装置１８は、ディスプレイ２７および操作ボタン２８を有する。
【００２２】
ディスプレイ２７は、撮影装置１９、１９で撮影された便受け部１１上の映像を使用者に対して表示する。ディスプレイ２７に表示される映像は、動画であっても、静止画であってもよい。
【００２３】
操作ボタン２８は、複数のボタンを備え、これらのボタンにはそれぞれ使用者が便受け装置１３に対して行う指示が割り当てられる。具体的には、操作ボタン２８は、便受け部１１を便受け位置および収納位置に移動させる指示の入力を受け付ける。また、操作ボタン２８は、撮影装置１９、１９により便受け部１１上を撮影する指示や、ズームの指示、照明装置の照度の指示などの入力を受け付ける。さらに、操作ボタン２８は、局部兼便受け部洗浄装置２４から使用者の局部に向けて洗浄水を噴出する指示および便受け部１１に向けて洗浄水を噴出する指示の入力を受け付ける。
【００２４】
ケーブル２６は、撮影装置１９、１９からの映像信号や、操作ボタン２８を介して入力された移動機構２１や局部兼便受け部洗浄装置２４に対する操作指示信号を本体部１５へ送信する。なお、これらの信号は、有線に限らず無線で送信されてもよい。
【００２５】
このようなトイレ装置１の便受け装置１３の作用について説明する。
【００２６】
トイレ装置１の便受け装置１３は、病気の発見や、毎日の健康管理のために使用者が排泄した便を観察したい場合に使用される。または、検便のための便を採取する必要がある場合、便を水溜り部２０に落とすことなく保持したい場合に使用される。
【００２７】
トイレ装置１（便受け装置１３）は、使用者が便受け装置１３を使用して便の観察などを行いたい場合に、便受け部１１の便受け位置への移動が割り当てられた操作ボタン２８を介して指示を受け付ける。すると、移動機構２１は、便受け部１１を収納位置から便受け位置へと移動させる。このとき、便受け部１１は、先端が便器１２に当たることによりしなり、確実に便をうけとめる（水溜り部２０へ落下させない）ことが好ましい。しかし、水溜り部２０の少なくとも一部を、便受け部１１が覆っていればよい。
【００２８】
その後、使用者が、便受け部１１への便の排泄前、排泄中、または排泄後において、便受け部１１上を撮影装置１９、１９により撮影するための指示が割り当てられた操作ボタン２８を介して、撮影を開始する指示を受け付ける。すると、撮影装置１９、１９は、便受け部１１上を撮影する。また、操作ボタン２８を介して使用者よりズームの指示を受け付けると、撮影装置１９、１９はズームを行う。撮影装置１９、１９により撮影された映像は、表示装置１８のディスプレイ２７に表示される。使用者は、ディスプレイ２７を確認することにより、便の観察を容易に行うことができる。
【００２９】
便の観察が終了した使用者より、操作ボタン２８を介して便受け部１１を洗浄する指示を受け付けると、局部兼便受け部洗浄装置２４は洗浄水を便受け部１１に向けて噴出する。これにより、便受け部１１上の便は洗い流され、便受け部１１上は収納可能な状態となる。その後、使用者より便受け部１１を収納位置へ移動させる指示を操作ボタン２８を介して受け付けると、移動機構２１は便受け部１１を収納位置へ移動させる。
【００３０】
なお、便の観察が終了した場合、便受け部１１の洗浄および便受け部１１の収納位置への移動を自動的に連続して行ってもよい。すなわち、便受け部１１を収納する指示を受け付ける操作ボタン２８を設け、この操作ボタン２８が指示を受け付けると、局部兼便受け部洗浄装置２４が所定時間便受け部１１の洗浄を行い、その後移動機構２１が自動的に便受け部１１を収納位置へ移動させてもよい。また、局部兼便受け部洗浄装置２４は、便受け部１１の洗浄と同時に使用者の局部が洗浄可能なように構成されてもよい。この場合、操作ボタン２８には、局部を洗浄する指示を受け付けるボタンと、便受け部１１を洗浄する指示を受け付けるボタンとをそれぞれ設けたり、局部と便受け部１１の両者を同時に洗浄する指示を受け付けるボタンを設けたりすることができる。
【００３１】
このような本実施形態における便受け装置１３およびトイレ装置１は、従来では観察が困難であった排泄後の便を、容易に観察することができる。これにより、病気の早期発見も可能であり、使用者の健康維持にも貢献することができる。
【００３２】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【００３３】
例えば、便受け部１１の洗浄に、局部兼便受け部洗浄装置２４の洗浄ノズル２５より噴出される洗浄水を用いたが、これに代えて、またはこれと共に、便を水溜り部２０へ掻き落とすための掻き落し棒を設けてもよい。例えば、使用者より便受け部１１上の洗浄の指示を受け付けると、本体部１５より掻き落し棒が突出し、便受け部１１上を移動することにより、好適に便を除去することができる。
【００３４】
また、便受け装置１３およびトイレ装置１が病院などの専門家のいる施設に設置される場合には、撮影された映像を医者などの専門家に無線または有線により送信し、使用者以外が映像の確認が可能なようにしてもよい。または、便受け装置１３に着脱可能な記憶装置を設けて撮影した映像を記憶し、他の場所や後日に記録された映像を閲覧可能なようにしてもよい。
【符号の説明】
【００３５】
１  トイレ装置
１１  便受け部
１２  便器
１３  便受け装置
１４  ロータンク
１５  本体部
１６  便座
１７  便蓋
１８  表示装置
１９  撮影装置
２０  水溜り部
２１  移動機構
２２  中段部
２３  上段部
２４  局部兼便受け部洗浄装置
２５  洗浄ノズル
２６  ケーブル
２７  ディスプレイ
２８  操作ボタン
【図１】
0003192740.tif 000003
【図２】
0003192740.tif 000004
【図３】
0003192740.tif 000005
【図４】
0003192740.tif 000006